(57)【要約】【課題】電動式通風換気装置を一括集中的に制御することが可能で、同装置の開閉制御を個別的、選択的に行える多機集中管理制御装置を提供する【解決手段】１棟の又は複数棟の温室（ビニルハウスなど）のそれぞれに設備された複数の電動式通風換気装置それぞれの電動機３…と、その電源トランス盤２とを接続する電力線５は、各電動機３毎に独立した配線とし、各電力線５は、各電動機３毎に独立した端子を備えた配電盤４の対応する開閉スイッチ４０を中継して各電動機３…との接続が行われており、配電盤４の各開閉スイッチ４０を予め、該当する電動式通風換気装置毎に必要な開閉条件に従う操作条件を設定して、制御盤１を通じて電源トランス盤２のオン、オフ操作を行い、個別に選択、設定した電動式通風換気装置の電動機３…を開閉動作させる。【選択図】図１
0003182755.tif 000002
【実用新案登録請求の範囲】
【請求項１】
１棟の又は複数棟の温室のそれぞれに設備された複数の電動式通風換気装置それぞれの電動機と、その駆動電力を供給する電源トランス盤とを接続する電力線は、各電動機毎に独立した配線とし、
前記の各電力線は、各電動機毎に独立した配線を配電盤の対応する開閉スイッチを中継して各電動機との接続が行われており、
配電盤の各開閉スイッチを予め、該当する電動式通風換気装置毎に必要な開閉条件にしたがう操作をして、制御盤を通じて電源トランス盤のオン、オフ操作を行い、個別に選択、設定した電動式通風換気装置の電動機を開閉動作させる構成としたことを特徴とする、電動式通風換気装置の多機集中管理制御装置。
【請求項２】
配電盤の各開閉スイッチは「開」「閉」「停止」の３段階切り換え操作が可能なトグルスイッチで構成し、前記トグルスイッチを個別に選択して操作することにより、特定の温室における特定の電動式通風換気装置を「開」「閉」「停止」の条件で多機集中管理が可能に構成されていることを特徴とする、請求項１に記載した電動式通風換気装置の多機集中管理制御装置。
【請求項３】
配電盤の各開閉スイッチは、該当する温室に設備された各電動式通風換気装置の位置から「開」「閉」「停止」の切り換えを遠隔操作可能な電子スイッチと連係させた構成とし、前記電子スイッチを通じて切り換え操作を行うことにより、該当する電動式通風換気装置を「開」「閉」「停止」に切り換えて運転管理する構成とされていることを特徴とする、請求項１に記載した電動式通風換気装置の多機集中管理制御装置。
【請求項４】
電動式通風換気装置の開閉動作における特定の開位置、又は特定の閉位置は、当該電動式通風換気装置がガイド支柱に沿って昇降動作する特定の移動位置を検出するリミットスイッチの位置信号で、各電動機をオン、オフする自動制御が可能に構成したことを特徴とする、請求項１又は２に記載した電動式通風換気装置の多機集中管理制御装置。
【請求項５】
電動式通風換気装置の開閉操作は、各電動式通風換気装置毎に、時計に設定した開閉操作の時間割り情報を各電動機のオン、オフ制御に用い、該当する電動式通風換気装置の電動機を自動的に駆動制御する構成としたことを特徴とする、請求項１又は２に記載した電動式通風換気装置の多機集中管理制御装置。
【考案の詳細な説明】
【技術分野】
【０００１】
この考案は、図３に例示したような所謂ビニルハウスその他の温室において、温室内温度の調節と通風換気を兼ねる目的で、側面の開口或いは棟面や妻面、谷面等の開口を開閉する電動式通風換気装置の動力源である各電動機を、一定の管理場所における集中管理として、各電動機による「開動作」、「閉動作」或いは「停止」を一括集中の遠隔制御で行う集中管理制御装置、特に多数機の電動式通風換気装置を一斉に遠隔制御するほか、必要に応じて任意に選択した特定の機器だけを、開・閉又は停止の遠隔制御が可能な多機集中管理制御装置の技術分野に属する。
【背景技術】
【０００２】
所謂ビニルハウス等の温室は、太陽光による温熱を吸収し蓄えて作物の成長を促進する施設農業の代表例である。しかし、冬期でも温暖な日には室内温度が上昇し過ぎて作物の生育に悪影響を及ぼす事態も懸念される。そこでビニルハウス等の温室には、図３に例示したように、側面や棟面、妻面、谷面などに開口部ａ１〜ａ４をそれぞれ用意して、各開口部を開閉する通風換気装置ｂ１〜ｂ６が必ず設備される。
そうした通風換気装置の多くは、従来、個別に手動式ハンドルで操作する構成のものが一般的であったが、最近では電動式で開閉操作する型式の装置も多く実施されている。
因みに下記の特許文献１は、手動式ハンドルで開閉操作する通風換気装置および回転伝達装置の一例を示している。手動用ハンドルを正・逆転方向へ手で回転すると、回転伝達装置の出力軸を正・逆方向へ自在に回転できる。しかし、逆に出力側からは正・逆いずれの方向へも決して回転することができず、それ故に開閉位置の確定が自在にできる構成となっている。
図３に例示した通風換気装置ｂ１、ｂ２の場合は、上記回転伝達装置の出力軸へシート巻軸ｃを接続し、入力軸をハンドルで正・逆転方向へ回転することにより、開口部ａ１、ａ２を遮蔽するフリーシートを巻き上げ又は巻き下ろして開閉が行なえる構成となっている。
一方、電動式の通風換気装置を簡単に言えば、上記回転伝達装置の手動用ハンドルに代えて、その入力軸へ、動力源として正・逆回転用電動機の出力軸を接続し、シート巻軸を正・逆転方向へ電動機で回転する構成としたものが一般的である。
【０００３】
ところで、上記の通風換気装置は、図３に一例を示したように、１棟のビニルハウスに少なくとも１台以上複数台が適所に設置される。そして、太陽光が射し込む日中には開口部を開いて通風換気を行わせ、もって室内温度の上昇のし過ぎを緩和・防止する。そして、陽が傾く夕方には、前記開口部を閉じて室内温度の下がり過ぎを未然に防ぐ操作を、毎日のように、通年にわたり繰り返して行う。
上記の場合、特に手動式通風換気装置は、ハンドルの手動回転に大きな労力を必要とするし、開閉操作の完遂にそれなりに長い所要時間を要する。しかし、通風換気装置の開閉は、太陽の移動に合わせて迅速に行うべき制約がある。そのため従業者にとっては気がせくし、また、通風換気装置の台数に比例して労働負担がすこぶる大きいものとなっている。
【０００４】
その点、電動式通風換気装置を採用した場合には、いちいちハンドルを手で回転する労働負担を無用にして省力化できる。また、スイッチ操作一つで、開閉スピードもそれなりに高められ、開閉の所要時間を短縮できる利点がある。場合によっては開閉の操作時間を予め設定して自動運転することも可能である。
しかし、電動式通風換気装置についてもなお、下記する問題点が指摘されている。
第１に、図３に例示したビニルハウスでも、通風換気装置はｂ１〜ｂ６のように多数機を設置して使用する。
のみならず、本格的な農業経営を目指す農家は、１棟のビニルハウスだけ設備して運営することはむしろ希である。大規模農業経営としての規模と収益を達成するために、広大な敷地内に複数棟のビニルハウスを可能な限り多く併設して、大規模経営を実施することが一般的に行われている。こうした大規模経営に供するビニルハウスは、棟方向長さが、大きいものだと約５０ｍに及ぶものも珍しくはない。
このように大規模で複数棟のビニルハウス間を毎日朝晩、作業者が走り回って、各個の電動式通風換気装置を個別に「開」、「閉」、「停止」のスイッチ操作をして歩くことも、従業者の日課的作業としてはやはり負担が大きい。
そこで従来、各棟のビニルハウスに設備した複数の電動式通風換気装置を一定位置の管理所に設備した制御装置を通じて、多機を一括集中操作でオン、オフ制御する多機集中管理制御装置が考案され、既に使用されている（例えば株式会社誠和の商品、くるくるＡｃｅIIIなど）。
上記した多機集中管理制御装置の構成をモデル化して示したのが図４である。これを簡単に説明すると、制御盤１からトランス盤２へ開閉信号を送ると、このトランス盤２から電力を供給される各電動式通風換気装置それぞれの各電動機３…が一斉にスイッチオン又はオフされ、電動式通風換気装置が一斉に「開」又は「閉」の動作をして、通風換気の日課的作業の目的が達せられる。
【０００５】
しかし、図４に例示した既往の多機集中管理制御装置にも、以下に説明するような問題点が指摘される。
広大な敷地内のあちこちに複数棟のビニルハウスを併設する場合、敷地の地形やそこに建設した各棟のビニルハウスの規模（特に棟方向長さ）或いは棟の方向性はたいていバラバラとなり、太陽の軌道に対して同一の向き、及び規模に揃えて設備することは困難である。土地の有効活用を考慮すると、各棟のビニルハウスを太陽の軌道に対し同一の方向性で建設する自体が困難である。
そのような温室群の各通風換気装置を、各棟の別なく一斉に（一括して）開閉動作させることは、通風換気を必要とする実状にそぐわない場合が多い。
太陽の移動位置に対して、つまり、太陽光による入熱状況に応じて、ビニルハウスの開口部の開閉を適時に行なうことが要請されるから、各棟の電動式通風換気装置を同時に一括集中制御すること自体、温室栽培の実情に適さない。
或いは各棟のビニルハウス内で栽培する作物の種類、性質、生育条件等が異なることを考慮すれば、電動式通風換気装置による通風換気の必要条件（時間割り）が異なることは必定であるから、前記条件の差異を前提に適切に開閉運転をしなければならない。
その他、都合によって作物の栽培を休止したビニルハウスが存在する場合もある。このような休止温室にまで通風換気の運転を行うことの無駄は言うまでもないことである。
上記したような諸事情、諸条件を考慮すると、図４の如く各棟の各電動式通風換気装置を同時に一括集中の形で一斉に「開」「閉」等の制御を単純に行うことの不合理性、問題点は大きい。  
【先行技術文献】
【特許文献】
【０００６】
【特許文献１】特許第３７５２６１７号公報
【考案の概要】
【考案が解決しようとする課題】
【０００７】
上記したとおり、１棟の又は複数棟のビニルハウスに設備した複数の電動式通風換気装置を一括して（同期して）一斉に「開」「閉」「停止」の制御を行う構成でしかない図４の開閉制御装置では、農業経営又は作物栽培の育成管理の条件には不適切、不合理な事例が多く、改善が必要とされている。
換言すれば、各棟の温室（ビニルハウス等）が太陽の軌道位置によって入熱条件が異なることを考慮して、各棟の温室の立地条件毎に適切な時間割りで「開」「閉」「停止」の制御を行えることが重要である。
或いは各棟で栽培する作物の生育条件に適応した温度・通風の環境を適正に管理等するために、或いは都合により作物の栽培を休止したビニルハウスを除いて、他の温室に必要な開閉制御を行う必要を考慮して、各電動式通風換気装置の運転制御を、個別的に又は選択的に行える自在性を有する電動式通風換気装置の多機集中管理制御装置が望まれる。
【０００８】
よって、本考案の目的は、上記した１棟又は複数棟の温室（ビニルハウス等）に設備した複数の電動式通風換気装置を一括集中的に制御することが可能で、しかも複数の電動式通風換気装置の中から個別に選択した一部の電動式通風換気装置を、必要に応じて「開」「閉」「停止」の個別制御を行うことも可能であり、各棟のビニルハウスにおける太陽光の入熱状況に即した時間割りで開閉の制御を自在に行え、或いは各棟で栽培する作物の生育条件に適応した温度、通風管理の開閉制御ができ、又は都合により作物の栽培を休止した温室を除いて、その他を一括集中の開閉制御を個別的、選択的に行える構成の多機集中管理制御装置を提供することである。
【課題を解決するための手段】
【０００９】
上記の課題を解決する手段として、請求項１に記載した考案に係る電動式通風換気装置の多機集中管理制御装置は、
１棟の又は複数棟の温室（ビニルハウスなど）のそれぞれに設備された複数の電動式通風換気装置それぞれの電動機３…と、その電源トランス盤２とを接続する電力線５は、各電動機３毎に独立した配線とし、
前記の各電力線５は、各電動機３毎に独立した端子を備えた配電盤４の対応する開閉スイッチ４０を中継して各電動機３…との接続が行われており、
配電盤４の各開閉スイッチ４０を予め、該当する電動式通風換気装置毎に必要な開閉条件に従う操作条件を設定して、制御盤１を通じて電源トランス盤２のオン、オフ操作を行い、個別に選択、設定した電動式通風換気装置の電動機３…を開閉動作させる構成としたことを特徴とする。
【００１０】
請求項２に記載した考案は、請求項１に記載した電動式通風換気装置の多機集中管理制御装置において、
配電盤４の各開閉スイッチ４０は「開」「閉」「停止」の３段階切り換え操作が可能なトグルスイッチで構成し、前記トグルスイッチを個別に選択して操作することにより、特定の温室における特定の電動式通風換気装置を「開」「閉」「停止」の条件で多機集中管理が可能に構成されていることを特徴とする。
請求項３に記載した考案は、請求項１に記載した電動式通風換気装置の多機集中管理制御装置において、
配電盤４の各開閉スイッチ４０は、該当する温室に設備された各電動式通風換気装置の位置から「開」「閉」「停止」の切り換え操作を遠隔操作可能な電子スイッチと連係させた構成とし、前記電子スイッチを通じて切り換え操作を行うことにより、該当する電動式通風換気装置を「開」「閉」「停止」に切り換えて運転管理する構成とされていることを特徴とする。
【００１１】
請求項４に記載した考案は、請求項１又は２に記載した電動式通風換気装置の多機集中管理制御装置において、
各電動式通風換気装置の開閉動作における特定の開位置、又は特定の閉位置は、当該電動式通風換気装置がガイド支柱６に沿って昇降動作する特定の移動位置を検出するリミットスイッチの検出信号で、各電動機３をオン、オフする自動制御が可能に構成したことを特徴とする。
請求項５に記載した考案は、請求項１又は２に記載した電動式通風換気装置の多機集中管理制御装置において、
電動式通風換気装置の開閉操作は、各電動式通風換気装置毎に、時計に設定した開閉操作の時間割り情報を各電動機３のオン、オフ制御に用い、該当する電動式通風換気装置の電動機３を自動的に駆動制御する構成としたことを特徴とする。
【考案の効果】
【００１２】
本考案に係る電動式通風換気装置の多機集中管理制御装置によれば、配電盤４の各開閉操作スイッチ４０を予め切り換え操作して、ビニルハウス等の各室に設備した各電動式通風換気装置ｂ１〜ｂ６それぞれの電動機３について、個別に「開」、「閉」、「停止」等の制御情報を設定することができる。その上で制御盤１を通じて電源トランス盤２のオン、オフ操作を行うことにより、通風換気が必要で「開」と設定したビニルハウス、或いは通風換気が無用で「閉」と設定したビニルハウスについては、一括して開口の開閉管理の制御を一斉に行うことができる。勿論、「停止」と設定したビニルハウスについては、開閉動作をしない状態が維持される。
こうしてビニルハウス等の温室毎に、太陽の移動位置や作物の生育条件に適応した通風換気と温度管理を個別に選択して制御可能であるから、最適条件による温室栽培を一括制御で実現できる。しかも開閉操作が未だ必要でないか、又は都合により作物の栽培を休止したビニルハウス等の温室については、電動式通風換気装置の電動機３を「停止」させて無駄なエネルギの消費を防ぐ選択も可能である。
勿論、上記の管理制御は、多数の電動式通風換気装置の中から太陽の日射実状と、温室における温度管理等の必要条件を睨み合わせて、各温室毎に、或いは各電動式通風換気装置毎に、配電盤４の該当する開閉操作スイッチ４０の操作で条件設定することができ、あとは制御盤１のボタン操作による電源トランス盤２のオン、オフ操作として多機集中管理を行えるので、従業者の労働負担、管理負担や手数を大幅に省力化できる。
【００１３】
要するに、各電動式通風換気装置の開閉操作等は、一定位置の管理所における制御盤１のスイッチ操作のみで、迅速、適切に行え、いちいち各温室等の位置まで行動する管理手間は殆ど無用となる。しかも一括集中の管理であるから、短時間に開閉を一括して実施でき、無用なエネルギの浪費を防止し、各作物に適切な生育環境を整えることに寄与する。
つまり、多数棟の温室群（ビニルハウス群）を経営・管理している場合でも、従業者がいちいち個々のビニルハウス間を駆けめぐって、温度管理等のために各棟毎の電動式通風換気装置を個別に開閉制御の操作を行う労力と時間を省くことができる。その上、各棟の温室（ビニルハウス）毎に異なる日射条件、栽培する作物に応じた温度条件に適応した管理の開閉制御ができる。勿論、都合により作物の栽培を休止したビニルハウスを除いた開閉制御を、一定位置の管理所における制御盤１のスイッチ操作のみで適切に実施でき、開閉制御の迅速性と省力化、および必要にして最適な一括集中管理による電動式通風換気装置の開閉制御を実現できる。
【図面の簡単な説明】
【００１４】
【図１】本考案による電動式通風換気装置の多機集中管理制御装置の構成概要をブロック図として示す。
【図２】本考案による多機集中管理制御装置の構成を具体化した結線図として示したものである。
【図３】ビニルハウスに設備された電動式通風換気装置の設置概要を代表的に示した斜視図である。
【図４】従来の電動式通風換気装置の多機集中管理制御装置の構成をブロック図として示している。
【考案を実施するための形態】
【００１５】
１棟の又は複数棟のビニルハウスそれぞれに設備された複数の電動式通風換気装置ｂ１、ｂ２…ｂ６それぞれの動力源である各電動機３…と、その電源トランス盤２とを接続する各電力線５…は、各電動機毎に独立した配線として個別に接続する。
前記の各電力線５は、各電動機３…毎に独立した配線が配電盤４の該当する開閉スイッチ４０を中継して該当する電動機３と接続が行われている。したがって、配電盤４の開閉スイッチ４０の操作により、該当する電動機３…の「開」「閉」「停止」の切り換えを設定できる。あとは制御盤１のオン、オフ操作のみにより、一括して一斉に、又は個別に選択した電動機のみを特定して、特定の電動式通風換気装置のみを開閉動作させる管理が可能に構成する。
即ち、制御盤１は電源トランス盤２のオン、オフ操作を指令するのみで、そのスイッチ操作の以前に、配電盤４の該当する開閉スイッチ４０の開閉設定の操作を行っておくことにより、該当する電動式通風換気装置の電動機３のオン、オフ条件を予め特定でき、特定の電動式通風換気装置のみが開閉動作し、その余の電動式通風換気装置は「停止」を保つ等々の管理が可能になる。
【００１６】
上記した電動式通風換気装置の多機集中管理制御装置について、配電盤４の各開閉スイッチ４０を「開」「閉」「停止」の３段階操作が可能なトグルスイッチで構成すると、前記トグルスイッチの個別、選択的な操作により、特定のビニルハウスにおける特定の電動式通風換気装置が「開」・「閉」及び／又は「停止」する多機集中管理が可能になる。
各配電盤４の開閉スイッチ４０を、ビニルハウスに設備された電動式通風換気装置の位置から、「開」「閉」「停止」の指示を遠隔操作可能な電子スイッチ１１により操作できる構成にすると、当該ビニルハウスの現地条件を現地で目視確認した上で、その電子スイッチ１１を通じて個別、具体的に配電盤４の各開閉スイッチ４０を操作できる。したがって、現地のビニルハウスにおける現状、実情に応じて（即応して）、特定のビニルハウスにおける特定の電動式通風換気装置を開・閉及び／又は停止させる多機の一括集中管理を実現でき、管理の手間を省き、管理精度を高めることができる。
上記した電動式通風換気装置の多機集中管理制御装置において、電動式通風換気装置の開動作における特定の「全開位置」、又は特定の「全閉位置」は、電動式通風換気装置がガイド支柱６に沿って昇降動作する際の特定の移動位置を検出するリミットスイッチ１２により検出させ、その位置検出信号を配電盤４の各開閉操作スイッチ４０へ送信させて自動制御する構成も実施できる。
【実施例】
【００１７】
以下に、本考案を図示した実施例に基づいて説明する、
図１は、本考案による電動式通風換気装置の多機集中管理制御装置の実施例を簡単化したブロック線図で示している。
１棟の又は図３に例示したように多数棟の温室（ビニルハウスなど、以下同じ。）の各開口ａ１、ａ２にそれぞれ設備された複数の電動式通風換気装置ｂ１〜ｂ６におけるそれぞれの動力源である電動機３…と、各電動機３へ駆動用電力を供給する電源トランス盤２とを接続する電力線５は、各電動機３毎に独立した配線とし、配電盤４のスイッチ台に複数用意した各開閉スイッチ４０を中継して接続した構成とされている。
因みに、電源トランス盤２は、電源線１０で引き込んだ１００Ｖ又は２００Ｖの商用電源電力を、各電動機３に定格の電流、電圧、例えば２４Ｖに変換して、各電動機３へ供給する。各電動機３は、正転と逆転駆動が自在な型式である。制御盤１は、専ら電源トランス盤２に対して電力供給のスイッチをオン、オフ制御する指令を送る構成である。
電源トランス盤２と各電動式通風換気装置の電動機３とを接続する各電力線５は、図２のブロック図で一層明解なように、各電動機３…毎に独立した配線として構成し、途中に設けた配電盤４の開閉スイッチ４０を中継して接続が行われている。つまり、配電盤４の各開閉スイッチ４０を個別に開閉操作しておくことにより、各電動機３…への通電は、制御盤１のオン、オフ制御のみで、一括して一斉に、又は個別に選択した電動機３…のみを駆動し、ひいては特定の電動式通風換気装置のみが開口の開閉操作が行われる構成とされている。
なお、各電動機３へ駆動用電力を供給する電力線５に関し、図１の実施例では全ての電力線５がトランス盤２から導かれているのに対し、図２では左側寄り２本の電力線５は制御盤１から導いた構成を示している。これは図２の場合、制御盤１が内蔵するトランス容量に余力（余裕）があるので、その余力電力を利用するべく、２本の電力線５は制御盤１から直接配電盤４の開閉スイッチ４０を中継して接続する構成とした例を示しているに過ぎない。
【００１８】
以上要するに、１棟の又は複数棟の温室（ビニルハウス）の各開口それぞれに設備された複数の電動式通風換気装置ｂ１、ｂ２…ｂ６における動力源としての各電動機３…と、その電源トランス盤２とを接続する各電力線５…は、各個の電動機３…毎に独立した配線として、配電盤４の該当する開閉スイッチ４０を中継して該当する電動機３との接続が行われている。その故に、配電盤４のスイッチ台におえる各開閉スイッチ４０には、予め該当する電動式通風換気装置ｂ１、ｂ２…ｂ６の制御用であることを示す表記を行っておくのが管理上至便である。
本考案に依る多機集中管理制御装置は、上記の構成であるから、日々の太陽の軌道と位置、及び現地における各温室（ビニルハウス）の棟方向性と、各開口の位置等々の関係を予め実地によく見定めて、開くべき開口の電動式通風換気装置、又は閉じておくべき開口の電動式通風換気装置、更には開閉の必要が無く「停止」させておくべき電動式通風換気装置を確認して、配電盤４の対応する各開閉スイッチ４０を、スイッチ台の前記表示を確認しつつ、「開」、「閉」、「停止」の選択行い、設定の操作をしておく。
その上で、以後は単に制御盤１のオン、オフのボタン操作のみにより、各電動機３…への通電が、先に開閉スイッチ４０による設定で「開」と決めた通りに、一括して一斉に、又は個別に選択した内容で、その電動機だけを特定して駆動させ、該当する電動式通風換気装置による開口の開閉動作を実現することができる。
つまり、制御盤１は電源トランス盤２による電力供給のオン、オフ操作を指示（制御）するのみである。制御盤１のオン、オフ操作の以前に、予め配電盤４の該当する開閉スイッチ４０…の開閉又は停止の設定操作を行っておくことにより、該当する電動式通風換気装置の電動機３のみが動作し、他の電動式通風換気装置は停止状態を保つ、一括集中で、且つ個別的な運転管理が可能になる。
【００１９】
上記の管理を行うために、配電盤４の各開閉スイッチ４０は、「開」「閉」「停止」の３段階操型式のスイッチで構成し実施するのが良い。かく構成すると、その開閉スイッチ４０の個別の選択的操作によって、特定の温室における特定の電動式通風換気装置を「開」又は「閉」及び／又は「停止」の目的に応じた選択を自在に行うことができ、多機集中管理の目的が達せられ、一層至便の開閉管理を実施できる。
こうした多機集中管理によれば、従業者は、個々の温室（ビニルハウス等）へ直接出向いて、個別に電動式通風換気装置の電動機３を開閉操作する手間と時間を要しないことはもとより、開口の開閉を休止（停止）しておく温室を特定して「停止」に保つ、多機集中の運転管理を、一箇所の制御盤１のボタン操作一つで実施することができ至便である。
したがって、従業者の管理作業を大幅に省力化でき、或いは操作時間のロスを防いで、温室内温度の適正な通風管理に供することができる。そして、作物の栽培を休止中で開閉が無用な温室の電動式通風換気装置を除いて、無駄のない運転管理を的確に行うことができる。
【００２０】
なお、配電盤４のスイッチ台に設けた各開閉スイッチ４０の個別的操作を、該当する個々の温室に設備された各電動式通風換気装置の現地から直接、「開」「閉」「停止」の３段階操作を遠隔制御により操作可能な電子スイッチと連係させた構成で実施すると、従業者が該当する温室の現地に立って確認した実地の条件判断に基づいて、開閉の管理ができることになり、一層高精度な、つまり、作物の生育状況や温室の温度実情に直接応じた管理が可能になる。
即ち、各配電盤４の開閉スイッチ４０の開閉操作は、個々のビニルハウスに設備された電動式通風換気装置を、当該ビニルハウスの太陽熱入射の実情に沿って「開」「閉」「停止」の操作を、遠隔制御可能な電子スイッチを通じて配電盤４の当該開閉スイッチ４０へ通報して操作させと、当該ビニルハウスの現地の実情に適応した管理制御を実施することができ、一層精度の高いものとなる。
【００２１】
なお、電動式通風換気装置の上記開閉スイッチ４０の操作を通じた管理制御における、開口の特定の開位置、又は特定の閉位置は、電動式通風換気装置が図３に例示したガイド支柱６に沿って昇降動作する構成である場合には、特定の昇降位置をリミットスイッチ１２により検出し、その位置検出情報によって電動機３を自動停止させる回路を併設して実施することになる。
或いは各電動式通風換気装置毎の開閉操作の自動制御法として、各電動式通風換気装置を設置した温室毎に実地計測で開閉の時間割りを予め特定し、その時間割りを配電盤４に内蔵させた時計１３によって時間設定を行い、その時間情報を電動式通風換気装置の開閉操作の時間割りとして、配電盤４の各自動開閉スイッチ４０へ出力させ、開閉の時間的自動制御を行う構成で実施すると、一層至便で温室の実地条件に精密に適合した管理制御ができる。
【００２２】
以上に本考案を実施例に基づいて説明したが、もとより実施例の構成に限るものではない。いわゆる当業者が必要に応じて行う設計変更、或いは応用、変形の範囲にまで及ぶことを予め申し上げる。
【符号の説明】
【００２３】
１      制御盤
２      電源トランス盤
３      電動式通風換気装置の電動機
４      配電盤
４０    動開閉スイッチ
５      電力線
１１    遠隔操作可能な電子スイッチ
１２    リミットスイッチ
１３    内蔵させた時計
【図１】
0003182755.tif 000003
【図２】
0003182755.tif 000004
【図３】
0003182755.tif 000005
【図４】
0003182755.tif 000006